(57)【特許請求の範囲】
【請求項１】
表示部と、該表示部の周縁部を覆う矩形状の枠体とを備え、該枠体は、矩形の各辺を構成する４つの枠部材と、該４つの枠部材の隣り合う端部同士を連結する４つの連結体とを有する表示装置において、
前記連結体は、連結する各枠部材夫々の長手方向に延びる２つの板部を有し、該板部に前記枠部材と螺合するための雌ネジを設けてあり、
前記枠部材は、前記表示部の画像を表示する正面の端部を覆う端部被覆部と、前記表示部の側部を覆う側部被覆部とを有し、
前記側部被覆部の内側に、前記端部被覆部と略平行に突出する突出部が設けられ、
該突出部にネジを挿通する挿通孔が設けられ、
前記突出部と前記端部被覆部との間に前記板部を挿入して前記突出部を前記板部に螺合するように構成されていることを特徴とする表示装置。
【請求項２】
前記板部は、短手方向の断面がコの字状をなすことを特徴とする請求項１に記載の表示装置。
【請求項３】
前記板部の平面に突起部が設けられ、
前記突出部に、前記突起部を係止する係止部が設けられていることを特徴とする請求項１又は２に記載の表示装置。
【請求項４】
前記雌ネジは、前記連結体を貫通しないように設けてあることを特徴とする請求項１から３までのいずれか１項に記載の表示装置。
【請求項５】
前記雌ネジは、前記連結体の表側から深絞り加工により形成した凹部に設けてあることを特徴とする請求項１から３までのいずれか１項に記載の表示装置。
【請求項６】
請求項１から５までのいずれか１項に記載の表示装置と、
テレビジョン放送を受信する受信部と
を備え、
前記受信部にて受信したテレビジョン放送に基づいて、前記表示装置に映像を表示するようにしてあることを特徴とするテレビジョン受信機。
【発明の詳細な説明】
【技術分野】
【０００１】
本発明は、表示部の周縁部を覆う矩形状の枠体が４つの枠部材に分割され、隣り合う枠部材の端部同士が連結体により連結された表示装置、及び該表示装置を備えるテレビジョン受信機に関する。
【背景技術】
【０００２】
近年、液晶表示パネル等を有する薄型テレビジョン受信機（以下、ＴＶ受信機という）では大型化が進んでおり、５２型、６０型、７０型等の表示サイズの機種も増加している。この場合、表示サイズが大型化すると、外観を形成するキャビネット（枠体）も大型になるが、外形サイズは極力小型にしたいとの要望も強く、そのため、表示画面の周辺に位置する矩形の前キャビネットの額縁部分を狭くした狭額縁製品も発売されている。
【０００３】
一般に表示部の周縁部を覆う前キャビネットは一体フレームであり、金型によって作製される。金型の費用は大きさに比例し、大型の機種の場合は金型費用が高額になる。さらに、大型の機種を複数バリエーションで展開する場合は機種数に応じて金型費用が増加する。そこで、前キャビネットを上下左右の４つの枠部材に分割し、各枠部材の端部同士を４隅部でＬ字状をなす連結体により連結するＴＶ受信機が開発されている（例えば特許文献１等）。
特許文献１においては、板状の枠部材の内面にリブ（突条）を設け、連結体はリブに当接させるＬ字の各辺に貫通孔を設けてあり、該貫通孔を挿通させたタッピングネジをリブにネジ止めすることにより、２つの枠部材を連結するように構成されている。
【０００４】
図２３は、４つの枠部材を連結体で連結する前キャビネットを有する従来のＴＶ受信機６９を示す一部縦断面図である。図中、後キャビネットは省略している。
ＴＶ受信機６９は、表示モジュール２と、表示モジュール２の周縁部を覆う前キャビネットと、前ベゼル１４と、後ベゼル１５とを備える。前キャビネットは、横枠６５と縦枠（不図示）とを備える。
表示モジュール２は、液晶表示パネル（以下、表示パネルという）２１と、３枚の光学シート２２と、拡散板２３と、反射シート２４と、シャーシ２５とを備える。
【０００５】
反射シート２４は矩形状をなす平板部と、平板部の周縁から立ち上がる傾斜部と、傾斜部の端縁から張り出した縁部とを有する。
シャーシ２５は、例えば、金属板を成形してなる箱状をなし、矩形状をなす平板部、該平板部の周縁から垂直に立ち上がるように形成されている枠部、及び枠部の端から箱形の外側に平板部と略平行をなして張り出すように設けられた縁部とを有する。シャーシ２５の平板部には、複数のＬＥＤ基板が平板部の短手方向に並設されている（不図示）。
【０００６】
後ベゼル１５は枠状をなし、光学シート２２の周縁部を覆い、光学シート２２及び拡散板２３と、反射シート２４及びシャーシ２５の縁部とを一体的に保持している。前ベゼル１４は、後ベゼル１５を収容することができる大きさの枠状をなし、表示パネル２１の周辺部分を覆い、さらに、後ベゼル１５により一体的に保持されている光学シート２２，拡散板２３，反射シート２４，シャーシ２５と、表示パネル２１とを一体的に保持する。
【０００７】
前キャビネットの横枠６５は、表示モジュール２の正面の端部を覆う端部被覆部６５ａと、該端部被覆部６５ａに直角に連設され、表示モジュール２の側部を覆う側部被覆部６５ｂと、端部被覆部６５ａの角部側に設けられた円筒状の突起部（ボス）６５ｃとを備える。突起部６５ｃには雌ネジ６５ｄが設けられている。
Ｌ字状をなす連結体６８には複数個、ネジ挿通孔６８ａが設けられている。
図２３の紙面の奥側には前キャビネットの縦枠が配され、連結体６８を横枠６５及び縦枠の端部に合わせ、ビス１８をネジ挿通孔６８ａに挿通し、突起部６５ｃの雌ネジ６５ｄにねじ込むことにより、横枠６５と縦枠とが連結される。
【先行技術文献】
【特許文献】
【０００８】
【特許文献１】特開２００２−１９０９９７号公報
【発明の概要】
【発明が解決しようとする課題】
【０００９】
近年、上述のような４つの枠部材を連結体で連結する前キャビネットを有するＴＶ受信機において、金型費削減のために金型費が安価である押出材を用いた枠部材を使用することが増えてきている。具体的には押出材としてアルミニウム等を用いている。
上述したように、連結体を介して枠部材を連結しており、連結体の材料としてはステンレス鋼等が多く用いられ、枠部材と連結体との固定においては、枠部材にビス孔（雌ネジ）を設けて締結しているが、枠部材がアルミニウム等のビスバカになり易い柔らかい金属材料から作られているため、締め付け不良等による不良品が多く発生し、不良品が発生した場合、それを交換するために新しい枠部材が必要となり、Ｆコスト（不良品発生に対するコスト）が非常に高くなる要因となっていた。
【００１０】
この対策としてビスのトルクを弱く設定した場合、トルクが他の部品のトルクと異なるため、連結部分のトルクと他の部品のトルクとを分けて管理する必要があり、生産性及び作業性が悪くなるという問題があった。また、ビスを長くしてビスバカになりにくくした場合、ＴＶ受信機のセット厚が厚くなるという問題があった。
また、従来の連結構造ではアルミニウム製の枠部材にビス固定のための太い突起部６５ｃ等を必要とするため、枠部材の断面が不均一となり、これが外観の品位悪化及び単価アップにもつながるという問題があった。すなわち、従来の連結構造では突起部６５ｃの根元が厚肉になっており、枠部材の成形時に材料の流れが均一でなくなり、枠部材に反り及びヒケ(厚肉部が凹む)が発生しやすく、品質管理が難しくなって生産性が低下するという問題があった。
【００１１】
本発明は、斯かる事情に鑑みてなされたものであり、表示部の周縁部を覆う矩形状の枠体を４つの枠部材に分割し、矩形の四隅で隣り合う枠部材の端部同士を連結体によって連結する場合に、ビスの締め付け不良による不良品の発生が抑制され、生産性及び作業性が良好であり、外観品位が良好であって狭額縁化及びセット厚の薄型化を実現でき、安価に製造することができる表示装置、及び該表示装置を備えるテレビジョン受信機を提供することを目的とする。
【課題を解決するための手段】
【００１２】
本発明に係る表示装置は、表示部と、該表示部の周縁部を覆う矩形状の枠体とを備え、該枠体は、矩形の各辺を構成する４つの枠部材と、該４つの枠部材の隣り合う端部同士を連結する４つの連結体とを有する表示装置において、前記連結体は、連結する各枠部材夫々の長手方向に延びる２つの板部を有し、該板部に前記枠部材と螺合するための雌ネジを設けてあり、前記枠部材は、前記表示部の画像を表示する正面の端部を覆う端部被覆部と、前記表示部の側部を覆う側部被覆部とを有し、前記側部被覆部の内側に、前記端部被覆部と略平行に突出する突出部が設けられ、該突出部にネジを挿通する挿通孔が設けられ、前記突出部と前記端部被覆部との間に前記板部を挿入して前記突出部を前記板部に螺合するように構成されていることを特徴とする。
【００１５】
本発明に係る表示装置は、前記板部は、短手方向の断面がコの字状をなすことを特徴とする。
【００１６】
本発明に係る表示装置は、前記板部の平面に突起部が設けられ、前記突出部に、前記突起部を係止する係止部が設けられていることを特徴とする。
【００１７】
本発明に係る表示装置は、前記雌ネジは、前記連結体を貫通しないように設けてあることを特徴とする。
【００１８】
本発明に係る表示装置は、前記雌ネジは、前記連結体の表側から深絞り加工により形成した凹部に設けてあることを特徴とする。
【００１９】
本発明に係るテレビジョン受信機は、前述の表示装置と、テレビジョン放送を受信する受信部とを備え、前記受信部にて受信したテレビジョン放送に基づいて、前記表示装置に映像を表示するようにしてあることを特徴とする。
【発明の効果】
【００２０】
本発明によれば、枠体より硬い金属を使用する連結体に雌ネジを設けるので、ビスバカ等の締め付け不良による不良品の発生が抑制され、例えビスバカが生じ、交換が必要になった場合でも、ビスバカになった連結体のみを交換すればよく、交換コストを低下させ、Ｆコストを低下させることができる。そして、連結部分のトルク管理を一般的な金属製の他の部品のトルク管理と共通化することができ、生産性及び作業性が向上する。さらに、ビスの長さを短くすることができ、連結体を枠体側に近接させて配置することにより、セット厚を薄くすることができる。そして、枠体の厚肉化対策が不要になるので狭額縁化を実現することができる。
そして、枠体の断面形状を均一化することができ、枠体の生産性が改善され、かつ体積が減少するため、材料費が減り、コストダウンを図ることができる。そして、外観に肉厚部の形状が映る等の外観不良が抑制され、外観品位が良好である。
また、雌ネジを連結体を貫通しないように設けた場合、又は連結体の表側から深絞り加工により形成した凹部に設けた場合、ネジを雌ネジに締め付けるときに、ネジと連結体との間で生じる切粉が連結体の裏側に落下することがない。従って、切粉が液晶表示パネルと光学部材との間に入り込み、光学的な品質が低下するのが防止される。
【図面の簡単な説明】
【００２１】
【図１】本発明の実施の形態１に係るＴＶ受信機の前側の外観斜視図である。
【図２】本発明の実施の形態１に係るＴＶ受信機の後キャビネットを外した状態を示す背面図である。
【図３】図２の一部拡大図である。
【図４】後キャビネットを外した状態を示す一部縦断面図である。
【図５】前キャビネットを示す背面図である。
【図６】図５の一部拡大図である。
【図７】図６の部分の斜視図である。
【図８】連結体を示す斜視図である。
【図９】連結体を示す平面図である。
【図１０】連結体を示す側面図である。
【図１１】連結体の第２板部を縦枠の突出部と端部被覆部との間に挿入する状態を示す斜視図である。
【図１２】突出部を第２板部に螺合した状態を示す斜視図である。
【図１３】連結体の第１板部を横枠の突出部と端部被覆部との間に挿入する状態を示す斜視図である。
【図１４】突出部を第１板部に螺合した状態を示す斜視図である。
【図１５】本発明の実施の形態２に係るＴＶ受信機を示す一部縦断面図である。
【図１６】本発明の実施の形態３に係る連結体の第２板部を縦枠の突出部と端部被覆部との間に挿入する状態を示す斜視図である。
【図１７】第２板部の一部断面図である。
【図１８】突出部を第２板部に螺合した状態を示す斜視図である。
【図１９】本発明の実施の形態４に係る連結体の第２板部を縦枠の突出部と端部被覆部との間に挿入する状態を示す斜視図である。
【図２０】第２板部の一部断面図である。
【図２１】連結体を裏側から見た状態を示す斜視図である。
【図２２】突出部を第２板部に螺合した状態を示す斜視図である。
【図２３】従来のＴＶ受信機を示す一部縦断面図である。
【発明を実施するための形態】
【００２２】
以下、本発明をその実施の形態を示す図面に基づいて具体的に説明する。
実施の形態１．
図１は本発明の実施の形態１に係るテレビジョン受信機（以下、ＴＶ受信機という）１の前側の外観斜視図、図２は本発明の実施の形態１に係るＴＶ受信機１の後キャビネットを外した状態を示す背面図、図３は図２の一部拡大図、図４は後キャビネットを外した状態を示す一部縦断面図、図５は前キャビネットを示す背面図、図６は図５の一部拡大図、図７は図６の部分の斜視図である。
【００２３】
ＴＶ受信機１は、映像を表示する横長の表示モジュール２と、表示モジュール２内に配設してあり、アンテナ（不図示）から放送波を受信するチューナ１２と、表示モジュール２内に配設してあり、符号化された放送波を復号するデコーダ１３とを備える。ＴＶ受信機１は、チューナ１２にて受信した放送波をデコーダ１３で復号し、復号した情報に基づいて表示モジュール２に映像を表示する。ＴＶ受信機１の下部には、ＴＶ受信機１を支持するスタンド１７を設けてある。
【００２４】
表示モジュール２は、前側に表示面を有する横長の矩形状の表示パネル２１を備えている。表示パネル２１は、前後に縦姿勢で配置された前キャビネット３及び後キャビネット６に縦姿勢に収容されている。前キャビネット３は表示パネル２１の周縁部を覆う矩形状の枠体であり、中央に矩形の開口３ａを有する。前キャビネット３は例えばアルミニウム材からなる。後キャビネット６は、前側が開放された矩形のトレイ状をなし、例えば電気亜鉛めっき鋼鈑からなる。尚、前キャビネット３及び後キャビネット６は他の材料から構成してもよい。
【００２５】
前キャビネット３及び後キャビネット６の上下及び左右寸法は略同一であり、互いの周縁部分が対向する。表示パネル２１の上下及び左右寸法は、前キャビネット３の開口３ａよりも若干大きく、表示パネル２１の周縁部分は前キャビネット３の内縁部分と対向している。
【００２６】
図２に示すように、前キャビネット３は、表示モジュール２の正面の長辺側端部及び側部を覆う一対の横枠４と、表示モジュール２の正面の短辺側端部及び側部を覆う一対の縦枠５と、隣り合う横枠４と縦枠５との端部同士を連結する４つの連結体７とを備える。連結体７は例えばステンレス鋼からなる。
【００２７】
図５〜７に示すように、横枠４は、表示モジュール２の長辺に沿うように板状に延びる端部被覆部４１と、該端部被覆部４１に直角をなすように連設され、表示モジュール２の側部に沿うように板状に延びる側部被覆部４２と、側部被覆部４２の内側の、端部被覆部４１寄りに、該端部被覆部４１と略平行に突設された板状の突出部４３とを備える。端部被覆部４１の幅は側部被覆部４２の幅より広く、突出部４３の幅は一例として端部被覆部４１の幅の略1/4 の幅である。突出部４３の長手方向連結側の、内側端縁部には、所定長さの切欠き４３ａが設けられている。
【００２８】
縦枠５は、表示モジュール２の短辺に沿って板状に延びる端部被覆部５１と、該端部被覆部５１に直角をなすように連設され、表示モジュール２の側部に沿って板状に延びる側部被覆部５２と、側部被覆部５２の内側の、端部被覆部５１寄りに、該端部被覆部５１と略平行に突設された板状の突出部５３とを備える。端部被覆部５１の幅は側部被覆部５２の幅より広く、突出部５３の幅は一例として端部被覆部５１の幅1/4 の略の幅である。突出部５３の長手方向連結側の、内側端縁部には、２か所、幅狭の切欠き５３ａ，５３ａが設けられている。
【００２９】
横枠４と縦枠５とは、それぞれの突出部４３，５３の端部の内側（ＴＶ受信機１の正面側）に、略Ｌ字状をなす連結体７の各辺を沿わせ、後述する連結体７の突起部７４が切欠き４３ａ、５３ａ，５３ａに係止された状態で、ビス１１により螺合されることにより連結される。連結体７の詳細な取り付け構造については、後述する。
【００３０】
図２〜４に示すように、表示モジュール２は、表示パネル２１と、３枚の光学シート２２と、拡散板２３と、反射シート２４と、シャーシ２５とを備える。光学シート２２、拡散板２３、反射シート２４、及びシャーシ２５によりバックライトユニットが構成される。
【００３１】
反射シート２４は白色のシートであり、例えば、ＰＥＴ（ポリエチレンテレフタラート）、ＰＣ（ポリカーボネート）等の光反射性を有する樹脂材料により形成されている。反射シート２４は、矩形状をなす平板部と、平板部の周縁から立ち上がる傾斜部と、傾斜部の端縁から張り出した縁部とを有する。平板部は矩形状をなしている。
【００３２】
シャーシ２５は、例えば、金属板を成形してなる箱状をなし、矩形状をなす平板部、該平板部の周縁から垂直に立ち上がるように形成されている枠部、及び枠部の端から箱形の外側に平板部と略平行をなして張り出すように設けられた縁部を有する。
【００３３】
シャーシ２５の平板部には、複数のＬＥＤ基板が平板部の短手方向に並設されている（不図示）。各ＬＥＤ基板は、基板、ＬＥＤ、及びレンズを備える。基板は、細長い矩形状をなしている。基板には、複数のＬＥＤが長手方向に一列に実装されている。
なお、バックライトユニットの光源はＬＥＤに限定されるものではなく、冷陰極管等であってもよい。また、バックライトユニットは直下型方式に限定されるものではなく、エッジライト方式であってもよい。
【００３４】
表示パネル２１は、液晶層と、一対のガラス基板と、偏光板とを有する。一対のガラス基板はシール材を挟んで互いに貼り合わされており、その間に液晶層が挟持されている。そして、偏光板は、一対のガラス基板の液晶層側とは反対側の面上にそれぞれ配されている。
【００３５】
拡散板２３は矩形板状をなし、比較的厚肉であり、表示パネル２１側に対向する主面と、主面の反対面でシャーシ２５に対向する背面と、一対の長側面と、一対の短側面とを有する。そして、背面から拡散板２３内へ導入された光は、拡散されて拡散板２３の主面から表示パネル２１側に向かって出射する。
【００３６】
光学シート２２は、拡散シート、プリズムシート及びＤＢＥＦシート（反射型偏光シート）等を含むシート群であり、拡散板２３の主面上に載置されている。そして、この光学シート２２によって、拡散板２３の主面から出射された光の集光等が行われる。
【００３７】
後ベゼル１５は枠状をなし、光学シート２２の周縁部を覆い、光学シート２２及び拡散板２３と、反射シート２４及びシャーシ２５の縁部とを一体的に保持している。前ベゼル１４は、後ベゼル１５を収容することができる大きさの枠状をなし、表示パネル２１の周辺部分を覆い、さらに、後ベゼル１５により一体的に保持されている光学シート２２，拡散板２３，反射シート２４，シャーシ２５と、表示パネル２１とを一体的に保持する。
そして、上述したように、横枠４と縦枠５とが連結体７により連結されるとともに、シャーシ２５の複数箇所の縁部に係止された、断面がコの字状をなす複数個の固定部材８が、上側の横枠４、及び両方の縦枠５の複数箇所に螺合されることにより、シャーシ２５が前枠３に固定される。
【００３８】
以下、連結体７の取り付け構造について詳述する。
図８は連結体７を示す斜視図、図９は連結体を示す平面図、図１０は連結体７を示す側面図である。
連結体７は、上述したようにＬ字状をなす。Ｌ字の各辺を構成する第１板部７１及び第２板部７２は幅狭の板状をなし、短手方向の両端部には、短い脚部が連設されている。すなわち、短手方向の断面がコの字状をなす。これにより、連結体７の強度が確保されるとともに軽量化が図られている。
【００３９】
連結体７のＬ字の角部には雌ネジ７３が設けられている。第１板部７１，第２板部７２には、角部の雌ネジ７３から少し先端部寄りにそれぞれ雌ネジ７３，７３が設けられ、さらに先端部に雌ネジ７３，７３が設けられている。雌ネジ７３は、第１板部７１及び第２板部７２の裏面にバーリング加工により、高さの低い円筒状のネジ止め部７５を設けた上で、第１板部７１及び第２板部７２の表面からネジ孔加工を施すことにより設けられている。
【００４０】
角部の雌ネジ７３に隣接する、第１板部７１，第２板部７２の雌ネジ７３の少し先端部寄りには、小円板状の突起部７４，７４が設けられ、第１板部７１，第２板部７２の先端側の雌ネジ７３の少し角部寄りにも同様に突起部７４，７４が設けられている。
連結体７の第１板部７１、第２板部７２において、角部の雌ネジ７３から、それぞれの先端側に向かって順に設けられている雌ネジ７３、突起部７４、突起部７４、雌ネジ７３への距離は同一にしてある。
【００４１】
以下、連結体７による横枠４と縦枠５との連結方法について説明する。
図１１は連結体７の第２板部７２を縦枠５の突出部５３と端部被覆部５１との間に挿入する状態を示す斜視図、図１２は突出部５３を第２板部７２に螺合した状態を示す斜視図、図１３は連結体７の第１板部７１を横枠４の突出部４３と端部被覆部４１との間に挿入する状態を示す斜視図、図１４は突出部４３を第１板部７１に螺合した状態を示す斜視図である。
【００４２】
図１１に示すように、突出部５３には、角部側の切欠き５３ａの少し角部側、及び下側の切欠き５３ａの少し下側に、ネジ挿通孔５３ｂ，５３ｂが設けられている。
まず、連結体７の第２板部７２の突起部７４，７４を突出部５３の切欠き５３ａ，５３ａに嵌め入れるようにして、第２板部７２を突出部５３と端部被覆部５１との間に挿入する。
そして、突起部７３，７３が切欠き５３ａ，５３ａに係止し、固定された（位置決めされた）状態で、ビス１１，１１を、ネジ挿通孔５３ｂ，５３ｂに挿通させ、第２板部７２の２個の雌ネジ７３，７３にねじ込むことにより、縦枠５と連結体７とが連結される。
【００４３】
図１３に示すように、横枠４の突出部４３には、角部側、及び少し先端側に、ネジ挿通孔４３ｂ，４３ｂが設けられている。
連結体７の第１板部７１の先端部側の突起部７４が突出部４３の切欠き４３ａの角部より離隔する側の側壁に当接し、角部側の突起部７４が切欠き４３ａの長手方向の側壁に当接する状態で、第１板部７１を突出部４３と端部被覆部４１との間に挿入する。
そして、突起部７４が切欠き４３ａに係止し、固定された（位置決めされた）状態で、ビス１１，１１を、ネジ挿通孔４３ｂ，４３ｂに挿通させ、角部及びこれに隣接する雌ネジ７３，７３にねじ込むことにより、横枠４と連結体７とが連結される。これにより横枠４と縦枠５とが連結される。
【００４４】
図４に示すように、ビス１１は、ネジ挿通孔４３ｂを挿通し、第１板部７１及び突起部７５に設けた雌ネジ７３に締め付けられている。
図２３に示す従来のＴＶ受信機６９の連結構造においては、ビス１８の長さを長くする必要があったのに対し、図４に示す本実施の形態の連結構造においてはビス１１の長さを短くできることが分かる。従来の連結構造においては、アルミニウム等の柔らかい金属からなる横枠６５の端部被覆部６５ａにビス１８をねじ込むため、ビスバカになり易く、突起部６５ｃの突出長を長くし、ビス１８の長さを長くしている。これに対し、本実施の形態においてはステンレス鋼等の硬い金属製の連結体７にビス１１をねじ込むため、ビスバカになり難く、ビス１１の長さは、突出部４３及び第１板部７１の厚みに、ビス止め部７５分の長さ、又はこれより少し突出する長さを加えたものであればよく、全体として短くすることができる。本実施の形態においては、ビス１１の長さを短くすることができ、連結体７を端部被覆部４１，５１側に近接させて配置するので、ＴＶ受信機１のセット厚を薄くすることができる。そして、ビスバカが発生した場合でも連結体７のみを交換することで対応することができ、交換コストを低下させることができる。
また、連結部分のトルク管理を一般的な金属製の他の部品のトルク管理と統一することができ、生産性及び作業性が向上する。
【００４５】
さらに、従来の連結構造においては突起部６５ｃ等の根元が厚肉になっており、横枠６５及び縦枠の成形時に材料の流れが均一でなく、また横枠６５及び縦枠の反り及びヒケが発生しやすく、品質管理が難しく、生産性が低下していたのに対し、本実施の形態の連結構造においては、横枠４及び縦枠５に厚肉部を設けず、厚みを均一にすることができるので、上記の問題がなくなり、生産性が向上し、安定した品質の前キャビネット３を得ることができる。加えて、材料費も抑えることができるため、歩留まりの改善も含めて横枠４及び縦枠５のコストを低く抑えることができ、ＴＶ受信機１全体のコストを低下させることができる。
【００４６】
そして、従来構造においては、成形上、横枠６５の厚肉化を避けるため側部被覆部６５ｂと突起部６５ｃの間に隙間が必要であり、連結体６８を補強し、表示モジュール２とのクリアランスを確保するための隙間が必要であったが、本実施の形態においてはそれらが必要でなくなるため、端部被覆部６５ａの幅を狭くすることができ、狭額縁化を図ることができる。
【００４７】
また、本実施の形態においては、連結体７の第１板部７１、第２板部７２において、角部の雌ネジ７３から、それぞれの先端側に向かって順に設けられている雌ネジ７３、突起部７４、突起部７４、雌ネジ７３への距離は同一にしてあるので、連結体７を前キャビネット３のいずれの角部にも使用することが可能である。
なお、連結体７の構成は本実施の形態の構成に限定されるものではない。前キャビネット３ではなく、連結体７に雌ネジ７３が設けてあればよく、雌ネジ７３及び突起部７４の配置は上述の場合に限定されず、また、連結体７が幅狭の平板状をなす場合に限定されるものではない。
【００４８】
実施の形態２．
本発明の実施の形態２に係るＴＶ受信機６０は、横枠６４及び縦枠の構造が異なること以外は、実施の形態１に係るＴＶ受信機１と同様の構成を有する。
図１５は、本発明の実施の形態２に係るＴＶ受信機６０を示す一部縦断面図である。図中、図４と同一部分は同一符号を付して詳細な説明を省略する。
【００４９】
ＴＶ受信機６０の横枠６４は、表示モジュール２の長辺に沿うように板状に延びる端部被覆部６４ａと、該端部被覆部６４ａに直角をなすように連設され、表示モジュール２の側部に沿うように板状に延びる側部被覆部６４ｂとを備える。実施の形態１に係る横枠４のように、側部被覆部６４ｂには突出部は設けられていない。ＴＶ受信機６０の縦枠も横枠６４と同様の構成を有する。
端部被覆部６４ａには、側部被覆部６４ｂ寄りに複数個のネジ挿通孔６４ｃが設けられている。
【００５０】
ＴＶ受信機６０の連結体６７はＬ字状をなし、連結体６７のＬ字の各辺（板部）は短手方向の断面がコの字状をなす。Ｌ字の各辺の裏面にバーリング加工により複数のネジ止め部６７ｂを設けた上で、各辺の表面からネジ孔加工を施すことにより、各辺に複数の雌ネジ６７ａが設けられている。
図１５の紙面の奥側には前キャビネットの縦枠が配され（不図示）、連結体６７を横枠６４及び縦枠の端部に合わせ、連結体６７の表面を端部被覆部６４ａの裏面に当接した状態で、ビス１１をネジ挿通孔６４ｃに挿通し、連結体６７の雌ネジ６７ａにねじ込むことにより、横枠６４と縦枠とが連結される。
【００５１】
本実施の形態においては、横枠６４及び縦枠より硬い金属を使用する連結体６７に雌ネジ６７ａを設けているので、ビスバカ等の締め付け不良による不良品の発生が抑制され、例えビスバカが生じ、交換が必要になった場合でも、ビスバカになった連結体６７のみを交換すればよく、交換コストを低下させ、Ｆコストを低下させることができる。そして、連結部分のトルク管理を一般的な金属製の他の部品のトルク管理と統一することができ、生産性及び作業性が向上する。また、横枠６４及び縦枠の断面形状を均一化でき、横枠６４及び縦枠の生産性が向上し、かつ体積が減少するため、材料費が減少し、コストダウンを図ることができる。そして、外観に肉厚部の形状が映る等の外観不良が抑制される。横枠６４及び縦枠の厚肉化対策が不要になるので、狭額縁化を図ることができ、連結体６７を端部被覆部６４ａに当接させるので、実施の形態１よりさらに、セット厚を薄くすることができる。
【００５２】
実施の形態３．
本発明の実施の形態３に係るＴＶ受信機は、連結体８０の構造が異なること以外は、実施の形態１に係るＴＶ受信機１と同様の構成を有する。
図１６は、本発明の実施の形態３に係る連結体８０の第２板部８２を縦枠５の突出部５３と端部被覆部５１との間に挿入する状態を示す斜視図、図１７は第２板部８２の一部断面図、図１８は突出部５３を第２板部７２に螺合した状態を示す斜視図である。図中、図１１、図１２と同一部分は同一符号を付して詳細な説明を省略する。
【００５３】
実施の形態３に係る連結体８０はステンレス鋼製であり、Ｌ字状をなす。Ｌ字の各辺を構成する第１板部８１及び第２板部８２は、短手方向の断面がコの字状をなす連結体７とは異なり、凹みがなく、厚みが均一である角板状をなす。
【００５４】
連結体８０のＬ字の角部には雌ネジ８３が設けられている。第１板部８１，第２板部８２には、角部の雌ネジ８３から少し先端部寄りにそれぞれ雌ネジ８３，８３が設けられ、先端部に雌ネジ８３，８３が設けられている。雌ネジ８３は、ネジ切りを連結体８０の裏側まで行わず、連結体の中途部で止めた状態で、すなわち連結体８０を貫通しないように設けられている。
角部の雌ネジ８３に隣接する、第１板部８１，第２板部８２の雌ネジ８３の少し先端部寄りには、小円板状の突起部８４，８４が設けられ、第１板部８１，第２板部８２の先端側の雌ネジ８３の少し角部寄りにも同様に突起部８４，８４が設けられている。
【００５５】
連結体８０と縦枠５とを連結する場合、まず、連結体８０の第２板部８２の突起部８４，８４を突出部５３の切欠き５３ａ，５３ａに嵌め入れるようにして、第２板部８２を突出部５３と端部被覆部５１との間に挿入する。
そして、突起部８３，８３が切欠き５３ａ，５３ａに係止し、固定された（位置決めされた）状態で、ビス１１，１１を、ネジ挿通孔５３ｂ，５３ｂに挿通させ、第２板部８２の２個の雌ネジ８３，８３にねじ込むことにより、縦枠５と連結体８０とが連結される。  連結体８０の第１板部８１も上記と同様にして横枠４に連結し、横枠４と縦枠５とが最終的に連結される。
【００５６】
本実施の形態においては、上述したように雌ネジ８３が連結体８０の厚み方向の中途部までしか設けられていないので、ビス１１を雌ネジ８３に締め付ける場合に、ビス１１と連結体８０との間で切粉が生じたとき、切粉が連結体８０の裏側に落下することがない。表示パネル２１と光学シート２２等の光学部材との間には隙間があるが（図４参照）、切粉がこの隙間に入り込んで光学的な品質が低下するのが防止されている。
【００５７】
実施の形態４．
本発明の実施の形態４に係るＴＶ受信機は、連結体９０の構造が異なること以外は、実施の形態１に係るＴＶ受信機１と同様の構成を有する。
図１９は、本発明の実施の形態４に係る連結体９０の第２板部９２を縦枠５の突出部５３と端部被覆部５１との間に挿入する状態を示す斜視図、図２０は第２板部９２の一部断面図、図２１は連結体９０を裏側から見た状態を示す斜視図、図２２は突出部５３を第２板部８２に螺合した状態を示す斜視図である。図中、図１１、図１２と同一部分は同一符号を付して詳細な説明を省略する。
【００５８】
実施の形態４に係る連結体９０はステンレス鋼製であり、Ｌ字状をなす。Ｌ字の各辺を構成する第１板部９１及び第２板部９２は幅狭の板状をなし、短手方向の両端部には、短い脚部が連設されている。すなわち、短手方向の断面はコの字状をなす。
【００５９】
連結体９０のＬ字の角部には雌ネジ９３が設けられている。第１板部９１，第２板部９２には、角部の雌ネジ９３から少し先端部寄りにそれぞれ雌ネジ９３，９３が設けられ、先端部に雌ネジ９３，９３が設けられている。
【００６０】
連結体７と異なり、雌ネジ９３は、第１板部９１及び第２板部９２に表側から深絞り加工により形成された凹部９４に設けられている。連結体７のネジ形成部であるネジ止め部７５は底がない円筒状をなすが、本実施の形態のネジ形成部である凹部９４は底部を有する。
【００６１】
角部の雌ネジ９３に隣接する、第１板部９１，第２板部９２の雌ネジ９３の少し先端部寄りには、小円板状の突起部９５，９５が設けられ、第１板部９１，第２板部９２の先端側の雌ネジ９３の少し角部寄りにも同様に突起部９５，９５が設けられている。
【００６２】
連結体９０と縦枠５とを連結する場合、まず、連結体９０の第２板部９２の突起部９５，９５を突出部５３の切欠き５３ａ，５３ａに嵌め入れるようにして、第２板部９２を突出部５３と端部被覆部５１との間に挿入する。
そして、突起部９５，９５が切欠き５３ａ，５３ａに係止し、固定された（位置決めされた）状態で、ビス１１，１１を、ネジ挿通孔５３ｂ，５３ｂに挿通させ、第２板部９２の２個の雌ネジ９３，９３にねじ込むことにより、縦枠５と連結体９０とが連結される。  連結体９０の第１板部９１も上記と同様にして横枠４に連結し、横枠４と縦枠５とが最終的に連結される。
【００６３】
本実施の形態においては、上述したように雌ネジ９３を第１板部９１及び第２板部９２に深絞り加工により形成した凹部９４に設けてあり、ビス１１を雌ネジ９３に締め付ける場合に、ビス１１と連結体９０との間で切粉が生じたとき、切粉は凹部９４の底部に留まるので連結体９０の裏側に落下することがない。従って、切粉が表示パネル２１と光学部材との隙間に入り込んで光学的な品質が低下するのが防止されている。
【００６４】
以上のように、本発明に係る表示装置は、表示部（２）と、該表示部（２）の周縁部を覆う矩形状の枠体（３）とを備え、該枠体（３）は、矩形の各辺を構成する４つの枠部材（４、５、６４）と、該４つの枠部材（４、５、６４）の隣り合う端部同士を連結する４つの連結体（７、６７、８０、９０）とを有する表示装置において、前記連結体（７、６７、８０、９０）は、前記枠部材（４、５、６４）と螺合する雌ネジ（７３、６７ａ、８３、９３）を設けてあることを特徴とする。
【００６５】
本発明においては、枠体（３）より硬い金属を使用する連結体（７、６７、８０、９０）に雌ネジ（７３、６７ａ、８３、９３）を設けることにより、ビスバカ等の締め付け不良による不良品の発生を抑制し、例えビスバカが生じ、交換が必要になった場合でも、ビスバカになった連結体（７、６７、８０、９０）のみを交換すればよく、交換コスト（Ｆコスト）を低下させることができる。
そして、連結部分のトルク管理を一般的な金属製の他の部品のトルク管理と共通化させることができ、生産性及び作業性が向上する。
【００６６】
さらに、ビス（１１）の長さを短くすることができ、連結体（７、６７、８０、９０）を枠体（３）側に近接させて配置することにより、セット厚を薄くすることができる。そして、枠体（３）の厚肉化対策が不要になるので狭額縁化を実現することができる。
また、枠体（３）の断面形状を均一化することができ、枠体（３）の生産性が改善され、かつ体積が減少するため、材料費が減少し、コストダウンを図ることができる。そして、外観に肉厚部の形状が映る等の外観不良が生じず、外観品位が良好である。
【００６７】
本発明に係る表示装置は、前記連結体（７、６７、８０、９０）は、連結する各枠部材（４、５、６４）夫々の長手方向に延びる２つの板部（７１、７２、８１、８２、９１、９２）を有し、該板部（７１、７２、８１、８２、９１、９２）に前記雌ネジ（７３、６７ａ、８３、９３）を設けてあることを特徴とする。
【００６８】
本発明においては、簡単な構造で、固定を確実にし、狭額縁化を図ることができる。
【００６９】
本発明に係る表示装置は、前記枠部材（４、５、６４）は、前記表示部（２）の画像を表示する正面の端部を覆う端部被覆部（４１、５１、６４ａ）と、前記表示部の側部を覆う側部被覆部（４２、５２、６４ｂ）とを有し、前記側部被覆部（４２、５２、６４ｂ）の内側に、前記端部被覆部（４１、５１、６４ａ）と略平行に突出する突出部（４３、５３）が設けられ、該突出部（４３、５３）にネジを挿通する挿通孔（４３ｂ、５３ｂ）が設けられ、前記突出部（４３、５３）と前記端部被覆部（４１、５１）との間に前記板部（７１、７２、８１、８２、９１、９２）を挿入して前記突出部（４３、５３）を前記板部（７１、７２、８１、８２、９１、９２）に螺合するように構成されていることを特徴とする。
【００７０】
本発明においては、前キャビネットの正背方向の厚み（セット厚）をより薄くすることができる。
【００７１】
本発明に係る表示装置は、前記板部（７１、７２、９１、９２）は、短手方向の断面がコの字状をなすことを特徴とする。
【００７２】
本発明においては、枠体（３）の強度を確保するとともに、軽量化を図ることができる。
【００７３】
本発明に係る表示装置は、前記板部（７１、７２、８１、８２、９１、９２）の平面に突起部（７４、８４、９５）が設けられ、前記突出部（４３、５３）に、前記突起部（７４、８４、９５）を係止する係止部（４３ａ、５３ａ）が設けられていることを特徴とする。
【００７４】
本発明においては、枠体（３）を連結体（７、８０、９０）に固定して（位置決めして）ネジ止めすることができる。
【００７５】
本発明に係る表示装置は、前記雌ネジ（８３）は、前記連結体（８０）を貫通しないように設けてあることを特徴とする。
【００７６】
本発明においては、ネジ切りを連結体（８０）の裏側まで行わず、連結体（８０）の中途部で止めているので、ネジ（１１）を雌ネジ（８３）に締め付ける場合に、ネジ（１１）と連結体（８０）との間で切粉が生じたとき、切粉は連結体（８０）の裏側に落下することがない。従って、切粉が表示パネル（２１）と光学部材（２２）との間に入り込み、光学的な品質が低下するのが防止されている。
【００７７】
本発明に係る表示装置は、前記雌ネジ（９３）は、前記連結体（９０）の表側から深絞り加工により形成した凹部（９４）に設けてあることを特徴とする。
【００７８】
本発明においては、雌ネジ（９３）を連結体（９０）に深絞り加工により形成した凹部（９４）に設けてあり、ネジ（１１）を雌ネジ（９３）に締め付ける場合に、ネジ（１１）と連結体（９０）との間で切粉が生じたとき、切粉は凹部（９４）の底面に留まるので連結体（９０）の裏側に落下することがない。従って、切粉が表示パネル（２１）と光学部材（２２）との間に入り込み、光学的な品質が低下するのが防止されている。
【００７９】
本発明に係るテレビジョン受信機（１、６０）は、前述の表示装置と、テレビジョン放送を受信する受信部（１２）とを備え、前記受信部（１２）にて受信したテレビジョン放送に基づいて、前記表示装置に映像を表示するようにしてあることを特徴とする。
【００８０】
本発明によれば、テレビジョン放送に基づいて上述したいずれかの表示装置に映像が表示される。
【００８１】
今回開示した実施の形態は、全ての点で例示であって、制限的なものではないと考えられるべきである。本発明の範囲は、特許請求の範囲内での全ての変更及び特許請求の範囲と均等の範囲が含まれることが意図される。
【符号の説明】
【００８２】
１、６０  ＴＶ受信機
２  表示モジュール（表示部）
２１  表示パネル
２２  光学シート
２３  拡散板
２４  反射シート
２５  シャーシ
３  前キャビネット（枠体）
４、６４  横枠（枠部材）
４１、５１、６４ａ  端部被覆部
４２、５２、６４ｂ  側部被覆部
４３、５３  突出部
４３ａ、５３ａ  切欠き
４３ｂ、５３ｂ、６４ｃ  ネジ挿通孔
５  縦枠（枠部材）
６  後キャビネット
７、６７、８０、９０  連結体
７１、８１、９１  第１板部
７２、８２、９２  第２板部
７３、６７ａ、８３、９３  雌ネジ
７４、８４、９５  突起部
７５、６７ｂ  ネジ止め部
９４  凹部
８  固定部材
１２  チューナ
１３  デコーダ
【図１】
0005567174.tif 000002
【図２】
0005567174.tif 000003
【図３】
0005567174.tif 000004
【図４】
0005567174.tif 000005
【図５】
0005567174.tif 000006
【図６】
0005567174.tif 000007
【図７】
0005567174.tif 000008
【図８】
0005567174.tif 000009
【図９】
0005567174.tif 000010
【図１０】
0005567174.tif 000011
【図１１】
0005567174.tif 000012
【図１２】
0005567174.tif 000013
【図１３】
0005567174.tif 000014
【図１４】
0005567174.tif 000015
【図１５】
0005567174.tif 000016
【図１６】
0005567174.tif 000017
【図１７】
0005567174.tif 000018
【図１８】
0005567174.tif 000019
【図１９】
0005567174.tif 000020
【図２０】
0005567174.tif 000021
【図２１】
0005567174.tif 000022
【図２２】
0005567174.tif 000023
【図２３】
0005567174.tif 000024